(57)【特許請求の範囲】
【請求項１】
前面に開閉する回転扉を備えた貯蔵室が最上段に配置された箱本体を有し、前記箱本体の天面と背面に渡って前記貯蔵室内の最上段収納スペース側に凹ませた凹部を形成し、密閉容器内に固定子と回転子からなる電動要素と前記電動要素によって駆動される圧縮要素とを収納した圧縮機を前記凹部に設置したものであって、圧縮要素は圧縮室と前記圧縮室内で往復動するピストンを備えた往復動型であり、前記回転扉を中ほどから左右両側を支点として開くように分割するとともに、前記回転扉の前方からの投影面の外枠線上を避けて前記圧縮室を配置し、かつ前記回転扉の前方からの投影面内には、前記箱本体の断熱壁を介して前記圧縮室が位置する冷蔵庫。
【請求項２】
前面に開閉する回転扉を備えた貯蔵室が最上段に配置された箱本体を有し、前記箱本体の天面と背面に渡って前記貯蔵室内の最上段収納スペース側に凹ませた凹部を形成し、密閉容器内に固定子と回転子からなる電動要素と、前記電動要素によって駆動される圧縮要素と、前記圧縮要素と前記密閉容器に備えられた高圧配管とを接続部を介して弾性的に接続する吐出細管とを収納した圧縮機を前記凹部に設置したものであって、前記回転扉を中ほどから左右両側を支点として開くように分割するとともに、前記圧縮機の左右方向の中心軸に対して前記吐出細管が配置されている側と対向する側の圧縮要素の端部を、前記回転扉の前方からの投影面の外枠線上を避けて配置し、かつ前記回転扉の前方からの投影面内には、前記箱本体の断熱壁を介して前記圧縮機の左右方向の中心軸に対して前記吐出細管が配置されている側と対向する側の圧縮要素の端部が位置する冷蔵庫。
【請求項３】
圧縮機が配置された側の回転扉をさらに上下に分割するとともに、上下に分割された前記回転扉の前方からの投影面内に前記圧縮室または前記圧縮機の左右方向の中心軸に対して前記吐出細管が配置されている側と対向する側の圧縮要素の端部を配置した請求項１または請求項２に記載の冷蔵庫。
【請求項４】
最上段の貯蔵室の下部に引出室が配置された請求項１から請求項３のいずれか一項に記載の冷蔵庫。
【請求項５】
圧縮要素は圧縮室と前記圧縮室内で往復動するピストンを備えた往復動型であり、前記ピストンの往復動方向を、回転扉が閉まる際に箱本体に衝突する衝突方向以外の方向に位置させるように圧縮機を搭載した請求項１から請求項４のいずれか一項に記載の冷蔵庫。
【請求項６】
圧縮要素は圧縮室と前記圧縮室内で往復動するピストンを備えた往復動型であり、前記ピストンの往復動方向を、回転扉が閉まる際に箱本体に衝突する衝突方向に対して略垂直となる方向に位置させるように圧縮機を搭載した請求項１から請求項５のいずれか一項に記載の冷蔵庫。
【請求項７】
圧縮要素と密閉容器の高圧配管とを弾性的に接続する吐出細管は、扉が閉まる際に箱本体に衝突する衝突方向に対して略平行する方向に形成されている部分を有するものである請求項１から請求項６のいずれか一項に記載の冷蔵庫。
【請求項８】
圧縮機の電動要素と圧縮要素からなる機械部が、密閉容器内に支持部を介して弾性支持されるとともに前記圧縮機は前記密閉容器の下部に固設された複数個の脚を介して凹部に弾性的に設置されたものであって、回転扉が閉まる際に箱本体に衝突する衝突方向に対し略平行方向に隣接する前記脚同士の間のピッチが、前記支持部の回転扉が閉まる際に箱本体に衝突する衝突方向に対して略平行する方向に隣接する前記支持部同士の間のピッチよりも長く形成されたものである請求項１から請求項７のいずれか一項に記載の冷蔵庫。
【請求項９】
圧縮機の電動要素と圧縮要素からなる機械部が、密閉容器内に支持部を介して弾性支持されるとともに前記圧縮機は前記密閉容器の下部に固設された複数個の脚に備えられた弾性部材を介して凹部に弾性的に設置されたものであって、前記圧縮機の上下方向の重心と、前記圧縮機の脚と前記弾性部材との当接面との距離を、前記圧縮機の上下方向の重心と前記密閉容器の下端面との距離よりも短くした請求項１から請求項８のいずれか一項に記載の冷蔵庫。
【請求項１０】
圧縮機の電動要素と圧縮要素からなる機械部が、密閉容器内に支持部を介して弾性支持されるとともに前記圧縮機は前記密閉容器の下部に固設された複数個の脚に備えられた弾性部材を介して凹部に弾性的に設置されたものであって、前記圧縮機の脚と前記弾性部材との当接面は前記密閉容器の下端面よりも上方に位置するものである請求項１から請求項９のいずれか一項に記載の冷蔵庫。
【請求項１１】
前面に開閉する回転扉を備えた貯蔵室が最上段に配置された箱本体を有し、前記扉が閉まる際に前記扉の閉まる速度を減速させる減速機能部とを有する請求項１から請求項１０のいずれか一項に記載の冷蔵庫。
【発明の詳細な説明】
【技術分野】
【０００１】
本発明は、圧縮機を冷蔵庫の天面の凹部に搭載した冷蔵庫に関するものである。
【背景技術】
【０００２】
近年、冷蔵庫は地球環境保護の観点から更なる省エネルギー化が進むとともに、その使用性や収納性の向上、加えて、アメニティー向上の観点から更なる静音化が求められている。
【０００３】
以下、図面を参照しながら上記従来の冷蔵庫について説明する。
【０００４】
従来この種の冷蔵庫は、機械室を形成する圧縮機などを、ユーザーサイドから見て使い勝手の悪い冷蔵庫本体の天面や、もしくは冷蔵庫本体の背面上部に設置するという方法がとられていた（例えば、特許文献１参照）。
【０００５】
図２０は従来の冷蔵庫の構成断面図、図２１は従来の冷蔵庫の圧縮機の縦断面図である。
【０００６】
一般に、冷蔵庫は、圧縮機５０、蒸発器２８、及び凝縮器（図示せず）、膨張器（図示せず）を配管などで連結構成される冷凍サイクルにより生成された冷気を吐出し、庫内の温度を低下させ、食品などを冷凍、冷蔵保管するために利用される。
【０００７】
冷蔵庫の箱本体１は、上から冷蔵室７、野菜室１０、冷凍室１１という構成からなる。
【０００８】
冷蔵室７は、箱本体１の前面において一端部がヒンジ１２を介して回転可能に支持された回転動式である回転扉１３を有している。また、野菜室１０は、レール（図示せず）を介して前方、後方にスライド可能な往復動式である引出扉１５ｄを有しており、冷凍室１１も野菜室１０と同様に、往復動式である引出扉１５ｃを有している。
【０００９】
回転扉１３、及び引出扉１５ｃ、１５ｄの内側の縁には、箱本体１のシール面１７と密着することで冷蔵庫内部と外部を遮断させるとともに、扉を閉めたときの衝撃を吸収するためのガスケット１６が装着されている。
【００１０】
また、回転扉１３の内側には、食品などを収納する為の扉ポケット１４が複数個設けられている。
【００１１】
箱本体１の上方には、箱本体１の天面１８と背面１９に渡って冷蔵室７側に凹ませた凹部２０が設けられている。冷蔵室７には食品などを収納する為の収納棚２１が複数個設けられているが、一般的にユーザーサイドから見て使い勝手が良くないとされる最上段の棚２２で区画された最上段収納スペース２２ａと第２段収納スペース２３ａの奥側は、箱本体１の背面上部に設けた凹部２０により凸状に出っ張っている。
【００１２】
凹部２０には圧縮機５０や機械室ファン９０、凝縮器（図示せず）、ドライヤー（図示せず）などが設置されている。
【００１３】
圧縮機５０は、密閉容器５２内に固定子６０および回転子６２からなる電動要素５８と、電動要素５８によって駆動される圧縮要素６３とを収納したものである（例えば、特許文献２参照）。
【００１４】
圧縮要素６３は、回転子６２の回転に伴ってブロック５９に軸支されたクランクシャフト６８が回転し、クランクシャフト６８の偏芯軸部６７の回転運動が、連結手段６９を介してピストン６５に伝えられ、ピストン６５はブロック５９に形成されたボア孔７３内を往復運動することで冷媒５３を吸入圧縮するもので、家庭用の冷蔵庫では一般的に使用されている。
【特許文献１】特開平１１−１８３０１４号公報
【特許文献２】特公昭６２−４４１０８号公報
【発明の開示】
【発明が解決しようとする課題】
【００１５】
しかしながら、上記従来の構成では、回転扉１３の扉ポケット１４に食品などを収納した状態にて回転扉１３を閉めた場合、ガスケット１６と箱本体１のシール面１７が衝突した際に、ガスケット１６にて吸収し切れない衝撃力が、シール面１７から箱本体１に伝わり、冷蔵庫が前後に揺動することがある。この時、圧縮機５０の密閉容器５２の内壁と圧縮要素６３が接触し、いわゆる釜当り音が散発的に発生することがある。
【００１６】
加えて、密閉容器５２と圧縮要素６３を構成するブロック５９などが接触すると、両者ともに金属で形成されていることから、金属チッピング片（微細なかけら）が生じて、これがブロック５９とクランクシャフト６８に代表されるような軸摺動間に噛み込まれると、異常摩耗や圧縮不能（ロック）が生じる可能性があった。
【００１７】
一方で、圧縮機５０内には圧縮された冷媒５３を次行程に搬送する冷媒配管（図示せず）、例えば吐出細管が配設されており、このような吐出細管が、密閉容器５２や圧縮要素６３を構成する部品と頻繁に接触すると、接触部位に集中的に金属疲労が蓄積され、最終的に、吐出細管が脆性破断して、圧縮機５０が圧縮不能になる可能性もあった。
【００１８】
本発明は、上記従来の課題を解決するもので、回転扉１３を閉じた際の衝撃による圧縮機５０の釜当りを抑制し、静音化が図れ、かつ信頼性の高い冷蔵庫を提供することを目的とする。
【課題を解決するための手段】
【００２１】
上記従来の課題を解決するために、本発明の冷蔵庫は、前面に開閉する回転扉を備えた貯蔵室が最上段に配置された箱本体を有し、前記箱本体の天面と背面に渡って前記貯蔵室内の最上段収納スペース側に凹ませた凹部を形成し、密閉容器内に固定子と回転子からなる電動要素と前記電動要素によって駆動される圧縮要素とを収納した圧縮機を前記凹部に設置したものであって、圧縮要素は圧縮室と前記圧縮室内で往復動するピストンを備えた往復動型であり、前記回転扉を中ほどから左右両側を支点として開くように分割するとともに、前記回転扉の前方からの投影面の外枠線上を避けて前記圧縮室を配置し、かつ前記回転扉の前方からの投影面内には、前記箱本体の断熱壁を介して前記圧縮室が位置するものである。
【００２２】
これによって、回転扉を中ほどから左右両側を支点として開くように分割するとともに、回転扉と箱本体が衝突して伝播される衝撃力の影響を受ける回転扉の投影面の外枠線上から少なくとも圧縮機の中で往復運動を行っている為に振動発生源となる圧縮室を離して配置することで、回転扉を閉めたときに冷蔵庫箱本体を通じて圧縮室に伝わる衝撃力を減少させることで、圧縮機の釜当りを抑制することができる。
【００２３】
また、本発明の冷蔵庫は、前面に開閉する回転扉を備えた貯蔵室が最上段に配置された箱本体を有し、前記箱本体の天面と背面に渡って前記貯蔵室内の最上段収納スペース側に凹ませた凹部を形成し、密閉容器内に固定子と回転子からなる電動要素と、前記電動要素によって駆動される圧縮要素と、前記圧縮要素と前記密閉容器に備えられた高圧配管とを接続部を介して弾性的に接続する吐出細管とを収納した圧縮機を前記凹部に設置したものであって、前記回転扉を中ほどから左右両側を支点として開くように分割するとともに、前記圧縮機の左右方向の中心軸に対して前記吐出細管が配置されている側と対向する側の圧縮要素の端部を、前記回転扉の前方からの投影面の外枠線上を避けて配置し、かつ前記回転扉の前方からの投影面内には、前記箱本体の断熱壁を介して前記圧縮機の左右方向の中心軸に対して前記吐出細管が配置されている側と対向する側の圧縮要素の端部が位置するものである。
【００２４】
これによって、回転扉を中ほどから左右両側を支点として開くように分割するとともに、回転扉と箱本体が衝突して伝播される衝撃力の影響を受ける回転扉の投影面の外枠線上から少なくとも前記圧縮機の左右方向の中心軸に対して前記吐出細管が配置されている側と対向する側の圧縮要素の端部を離して、回転扉を閉めたときに冷蔵庫箱本体を通じて前記圧縮機の左右方向の中心軸に対して前記吐出細管が配置されている側と対向する側の圧縮要素の端部に伝わる衝撃力を減少させることで、圧縮機の釜当りを抑制することができる。
【発明の効果】
【００２５】
本発明の冷蔵庫は、圧縮機の釜当りを抑制するので、静音化が図れ、信頼性の高い冷蔵庫を提供できるという効果が得られる。
【発明を実施するための最良の形態】
【００２８】
請求項１に記載の発明は、前面に開閉する回転扉を備えた貯蔵室が最上段に配置された箱本体を有し、前記箱本体の天面と背面に渡って前記貯蔵室内の最上段収納スペース側に凹ませた凹部を形成し、密閉容器内に固定子と回転子からなる電動要素と前記電動要素によって駆動される圧縮要素とを収納した圧縮機を前記凹部に設置したものであって、圧縮要素は圧縮室と前記圧縮室内で往復動するピストンを備えた往復動型であり、前記回転扉を中ほどから左右両側を支点として開くように分割するとともに、前記回転扉の前方からの投影面の外枠線上を避けて前記圧縮室を配置し、かつ前記回転扉の前方からの投影面内には、前記箱本体の断熱壁を介して前記圧縮室が位置するものである。
【００２９】
これによって、回転扉を中ほどから左右両側を支点として開くように分割するとともに、回転扉と箱本体が衝突して伝播される衝撃力の影響を受ける回転扉の投影面の外枠線上から、少なくとも圧縮機の中で往復運動を行っている為に振動発生源となる圧縮室を離して、回転扉を閉めたときに冷蔵庫箱本体を通じて圧縮室に伝わる衝撃力を減少させることで、圧縮機の釜当りを抑制し、静音化が図れ、信頼性の高い冷蔵庫を提供することができる。
【００３０】
請求項２に記載の発明は、前面に開閉する回転扉を備えた貯蔵室が最上段に配置された箱本体を有し、前記箱本体の天面と背面に渡って前記貯蔵室内の最上段収納スペース側に凹ませた凹部を形成し、密閉容器内に固定子と回転子からなる電動要素と、前記電動要素によって駆動される圧縮要素と、前記圧縮要素と前記密閉容器に備えられた高圧配管とを接続部を介して弾性的に接続する吐出細管とを収納した圧縮機を前記凹部に設置したものであって、前記回転扉を中ほどから左右両側を支点として開くように分割するとともに、前記圧縮機の左右方向の中心軸に対して前記吐出細管が配置されている側と対向する側の圧縮要素の端部を、前記回転扉の前方からの投影面の外枠線上を避けて配置し、かつ前記回転扉の前方からの投影面内には、前記箱本体の断熱壁を介して前記圧縮機の左右方向の中心軸に対して前記吐出細管が配置されている側と対向する側の圧縮要素の端部が位置するものである。
【００３１】
これによって、回転扉を中ほどから左右両側を支点として開くように分割するとともに、回転扉と箱本体が衝突して伝播される衝撃力の影響を受ける回転扉の投影面の外枠線上から、少なくとも圧縮機の中で圧縮要素と電動要素からなる機械部と密閉容器との接続部から最も離れている為に大きく振動しやすい圧縮要素の端部を離すことで、圧縮機の釜当りを抑制し、静音化が図れ、信頼性の高い冷蔵庫を提供することができる。
【００３４】
請求項３に記載の発明は、圧縮機が配置された側の回転扉をさらに上下に分割するとともに、上下に分割された前記回転扉の前方からの投影面内に前記圧縮室または前記圧縮機の左右方向の中心軸に対して前記吐出細管が配置されている側と対向する側の圧縮要素の端部を配置したものである。
【００３５】
これによって、回転扉開閉軌跡の半径を小さく、かつ回転扉を細分化することで、個々の回転扉を閉めたときの角運動量を顕著に総体的に小さくするとともに、かつ回転扉と箱本体が衝突して伝播される衝撃力の影響を受ける回転扉の投影面の外枠線から圧縮機を離して、圧縮機の釜当りを抑制することで、静音化が図れ、信頼性の高い冷蔵庫を提供することができる。
【００３６】
加えて、回転扉を細分化することで、特に暑い夏場において、細分化された回転扉の内、必要な回転扉のみを開けて食品等を出し入れすることで、庫外に逃げ出す冷気を減らし、圧縮機の運転率の抑制が図れ、消費電力量が低い冷蔵庫を提供することができる。
【００３７】
請求項４に記載の発明は、最上段の貯蔵室下部に引出室が配置されたものである。
【００３８】
これによって、圧縮機を引出室から離して、引出室を押し込んだ際の引出扉と箱本体との衝突による衝撃力が圧縮機に伝わり難い構成として、圧縮機の釜当りを抑制することで、静音化が図れ、信頼性の高い冷蔵庫を提供することができる。
【００３９】
請求項５に記載の発明は、圧縮要素は圧縮室と前記圧縮室内で往復動するピストンを備えた往復動型であり、前記ピストンの往復動方向を、回転扉が閉まる際に箱本体に衝突する衝突方向以外の方向に位置させるように圧縮機を搭載したものである。
【００４０】
これによって、回転扉を閉めたときの衝撃による圧縮機の揺動方向と、圧縮機の振動方向を不一致として、圧縮機の振幅加速を防止し、釜当りの発生を回避することで、静音化が図れ、信頼性の高い冷蔵庫を提供することができる。
【００４１】
請求項６に記載の発明は、圧縮要素は圧縮室と前記圧縮室内で往復動するピストンを備えた往復動型であり、前記ピストンの往復動方向を、回転扉が閉まる際に箱本体に衝突する衝突方向に対して略垂直となる方向に位置させるように圧縮機を搭載したものである。
【００４２】
これによって、回転扉を閉めたときの衝撃による圧縮機の振動方向と、圧縮機の振動方向を垂直方向とすることで、圧縮機の往復動方向における振幅加速を防止し、釜当りの発生を回避することで、静音化が図れ、信頼性の高い冷蔵庫を提供することができる。
【００４３】
請求項７に記載の発明は、圧縮要素と密閉容器の高圧配管とを弾性的に接続する吐出細管は、扉が閉まる際に箱本体に衝突する衝突方向に対して略平行する方向に形成されている部分を有するものである。
【００４４】
これによって、吐出細管に回転扉を閉じたときの衝撃力が伝達される方向と略平行となることで剛性が高くなる部位を有することから、吐出細管によって効果的に衝撃を加えられた際の機械部であるメカの振れ回りを抑制することで、静音化が図れ、信頼性の高い冷蔵庫を提供することができる。
【００４５】
請求項８に記載の発明は、圧縮機の電動要素と圧縮要素からなる機械部が、密閉容器内に支持部を介して弾性支持されるとともに前記圧縮機は前記密閉容器の下部に固設された複数個の脚を介して凹部に弾性的に設置されたものであって、回転扉が閉まる際に箱本体に衝突する衝突方向に対し略平行方向に隣接する前記脚同士の間のピッチが、前記支持部の回転扉が閉まる際に箱本体に衝突する衝突方向に対して略平行する方向に隣接する前記支持部同士の間のピッチよりも長く形成されたものである。
【００４６】
これによって、回転扉が閉まる際に箱本体に衝突する衝突方向に対して略平行する方向に外部から受けた振動の振幅よりが密閉容器の脚部よりも密閉容器内の支持部のほうが小さくなるので、圧縮機の釜当りを抑制するので、機械部であるメカの振れ回りを抑制することで、静音化が図れ、信頼性の高い冷蔵庫を提供することができる。
【００４７】
請求項９に記載の発明は、圧縮機の電動要素と圧縮要素からなる機械部が、密閉容器内に支持部を介して弾性支持されるとともに前記圧縮機は前記密閉容器の下部に固設された複数個の脚に備えられた弾性部材を介して凹部に弾性的に設置されたものであって、前記圧縮機の上下方向の重心と、前記圧縮機の脚と前記弾性部材との当接面との距離を、前記圧縮機の上下方向の重心と前記密閉容器の下端面との距離よりも短くしたものである。
【００４８】
これによって、圧縮機に外力が作用した場合の振動の振幅は、重心付近が最も小さく重心から離れるにつれて振動が大きくなるような重心まわりに圧縮機全体が振動することから、圧縮機のより重心に近い部分に脚と前記弾性部材との当接面を位置させることにより、冷蔵庫側から圧縮機に外力がかかった場合に、圧縮機全体の振動を低減することができるので、さらに、冷蔵庫への振動伝達を低減できることとなり、不快な振動や、振動に起因する騒音発生の無い高品位の冷蔵庫を提供することできる。
【００４９】
請求項１０に記載の発明は、圧縮機の電動要素と圧縮要素からなる機械部が、密閉容器内に支持部を介して弾性支持されるとともに前記圧縮機は前記密閉容器の下部に固設された複数個の脚に備えられた弾性部材を介して凹部に弾性的に設置されたものであって、前記圧縮機の脚と前記弾性部材との当接面は前記密閉容器の下端面よりも上方に位置するものである。
【００５０】
これによって、圧縮機に外力が作用した場合の振動の振幅は、重心付近が最も小さく重心から離れるにつれて振動が大きくなるような重心まわりに圧縮機全体が振動することから、圧縮機のより重心に近い部分に脚と前記弾性部材との当接面を位置させることにより、冷蔵庫側から圧縮機に外力がかかった場合に、圧縮機全体の振動を低減することができるので、さらに、冷蔵庫への振動伝達を低減できることとなり、不快な振動や、振動に起因する騒音発生の無い高品位の冷蔵庫を提供することできる。
【００５１】
請求項１１に記載の発明は、前面に開閉する回転扉を備えた貯蔵室が最上段に配置された箱本体を有し、前記扉が閉まる際に前記扉の閉まる速度を減速させる減速機能部とを有するものである。
【００５２】
これによって、回転扉を閉めたときに冷蔵庫箱本体を通じて圧縮機に伝わる衝撃力を減少させることで、圧縮機の釜当りを抑制し、静音化が図れ、信頼性の高い冷蔵庫を提供することができる。
【００５３】
以下、本発明の実施の形態について、図面を参照しながら説明する。尚、この実施の形態によってこの発明が限定されるものではない。
【００５４】
（実施の形態１）
図１は本発明の実施の形態１における冷蔵庫の構成断面図、図２は同実施の形態における冷蔵庫の正面図、図３は同実施の形態における冷蔵庫を上方から見た回転扉の開閉軌跡の概略断面図、図４は同実施の形態における冷蔵庫背面から見た圧縮機の縦断面図、図５は同実施の形態における冷蔵庫天面から見た圧縮機の平面断面図、図６は同実施の形態における回転扉を閉めたときの圧縮機の挙動を示す特性図である。
【００５５】
以下、図１から図６に基づいて本発明の実施の形態について説明する。
【００５６】
図１から図６において、冷蔵庫は、圧縮機１５０と、圧縮機１５０に接続された吐出配管１４０と、凝縮器（図示せず）と、減圧器であるキャピラリー１４２と、水分除去を行うドライヤー（図示せず）と、庫内ファン１９１を近傍に配置した蒸発器１２８と、吸入配管１４１を環状に接続して構成される冷凍サイクルを箱本体１０１に内蔵しており、この冷凍サイクルにより生成された冷気を吐出し、貯蔵庫１０６内の温度を低下させ、食品などを冷凍、冷蔵保管する。
【００５７】
箱本体１０１は、ＡＢＳなどの樹脂体を真空成形した内箱１０２とプリコート鋼板などの金属材料からなる磁性体を用いた外箱１０３とで構成された空間に発泡充填する断熱体１０４を注入してなる断熱壁を備えている。断熱体１０４は、例えば硬質ウレタンフォームやフェノールフォームやスチレンフォームなどが用いられる。また、発泡材として、ハイドロカーボン系のシクロペンタンを用いれば、地球温暖化防止の観点でさらに良い。
【００５８】
箱本体１０１は複数の断熱区画に区分されており、箱本体１０１の前面には、各々、扉１０５を設けている。断熱区画された貯蔵室１０６は、上から、冷蔵室１０７、並べて設けた切替室１０９ａおよび製氷室１０９ｂ、野菜室１１０、冷凍室１１１となっている。
【００５９】
冷蔵室１０７には、前面の中ほどから分割線１３０にて分割され左右両側を支点として、両端部がヒンジ１１２を介して回転可能に支持された回転動式の回転扉１１３ａ、１１３ｂが２枚設けられている。正面から見て、左側の回転扉１１３ａの横幅と右側の回転扉１１３ｂの横幅との比率はおよそ４：６としている。また、各々の回転扉１１３ａ、１１３ｂには、食品などを収納するスペースとして扉ポケット１１４が複数個設けられている。
【００６０】
一方、切替室１０９ａ、製氷室１０９ｂ、野菜室１１０、及び冷凍室１１１はいずれも引出室１０８となっており、いずれも、レール（図示せず）を介して前方、後方にスライド可能な往復動式である引出扉１１５ａ、１１５ｂ、１１５ｃ、１１５ｄが設けられている。
【００６１】
回転扉１１３ａ、１１３ｂ、及び引出扉１１５ａ、１１５ｂ、１１５ｃ、１１５ｄの内側の縁には、箱本体１０１のシール面１１７と密着することで冷蔵庫内部と外部を遮断させるとともに、各々の扉１０５を閉めたときの衝撃を吸収するためのガスケット１１６が装着されている。
【００６２】
ガスケット１１６は、耐久性、柔軟性、経済性などの特長を合わせ持ち、優れた加工性を有する軟質塩化ビニール樹脂体を押出成形することで形成している。ガスケット１１６には、永久磁石と、隔壁にて多数に区分された空気ポケットが内蔵されており、ガスケット１１６が密着される箱本体１０１側のシール面１１７は、外箱１０３の一端面とすることで、磁性体としてなる。
【００６３】
箱本体１０１の上方には、箱本体１０１の天面１１８と背面１１９に渡って冷蔵室１０７側に凹ませた凹部１２０が設けられている。冷蔵室１０７には食品などを収納するための収納棚１２１が複数個設けられており、凹部１２０は、冷蔵室１０７内の最上段棚１２２と内箱１０２で区画された最上段収納スペース１２２ａ側、及び第２段棚１２３と最上段棚１２２で区画された第２段棚収納スペース１２３ａ側に凸状に出張っている。また、より好ましくは凸部１２４の室内側底壁面１２５と最上段棚１２２の棚底部１２２ｂを略同一水平面としている。
【００６４】
凹部１２０には、ビスなどで固定された天面カバー１２６が設けられており、圧縮機１５０、機械室ファン１９０、凝縮器（図示せず）、ドライヤー（図示せず）、吐出配管１４０、吸入配管１４１の一部などを収納している。尚、圧縮機１５０は、回転扉１１３ａ、１１３ｂを左右に分割する分割線１３０の前方からの投影線１３１上を避けて、回転扉１１３ｂの後方に位置する。加えて、天面カバー１２６の上部は、天面１１８と略同一平面としており、圧縮機１５０の頂部１５１は天面１１８より低い位置にある。
【００６５】
また、冷蔵庫の組立作業性やサービス性を向上させることを狙いに、配管の密集度を軽減し、後方から配管接続部を目視できるようにするために、冷蔵庫背面１１９から見て手前側の圧縮機１５０の側面に形成された吐出チューブ１４０ａ、吸入チューブ１４１ａに、それぞれ吐出配管１４０、吸入配管１４１が左右に振り分けられて溶接される。
【００６６】
次に、圧縮機１５０の構成について説明する。
【００６７】
厚さ２〜４ｍｍの圧延鋼板を深絞りにより成形してなるすり鉢状の下容器１７２と逆すり鉢状の上容器１７３を係合し、係合部分を全周溶接して密閉容器１５２が形成される。密閉容器１５２の内部には、冷媒１５３としてイソブタン（Ｒ６００ａ）が充填され、オイル１５４として鉱油を貯留しているとともに、電動要素１５８と圧縮要素１６３からなる機械部であるメカ１７４が配置されている。メカ１７４は、密閉容器１５２の底部に固設された支持部１６０ａと電動要素１５８下端に固設された支持部１６０ｂの間にスプリング１７０を介して弾性支持されている。
【００６８】
電動要素１５８は、ブロック１５９の下方に固定されインバータ駆動回路（図示せず）とつながっている固定子１６０と、永久磁石を内蔵し主軸部１６１の下方に固定された回転子１６２から構成され、インバータ駆動用の電動モータを形成しており、インバータ駆動回路によって、商用電源周波数を下回る運転周波数を含む複数の運転周波数で駆動される。
【００６９】
圧縮要素１６３は、シリンダ１６４を形成するブロック１５９と、圧縮室であるシリンダ１６４のボア孔１７５内に往復自在に嵌入されたピストン１６５と、ブロック１５９の軸受１６６に軸支される主軸部１６１と偏芯軸部１６７からなるクランクシャフト１６８と、偏芯軸部１６７とピストン１６５を連結するコンロッド１６９とを備えており、クランクシャフト１６８の回転運動がピストン１６５の往復運動に変換される。
【００７０】
尚、ピストン１６５の往復運動方向（図６中の矢印Ｐ参照）は、冷蔵庫の前面１４３に対し略平行関係としている。すなわち、ピストン１６５の往復動方向を、回転扉が閉まる際に箱本体に衝突する衝突方向に対して略垂直となる方向に位置させている。
【００７１】
また、ピストン１６５とボア孔１７５内とで形成される圧縮室１７６の空間体積が、ピストン１６５の往復運動により増減変化することで、密閉容器１５２内の冷媒１５３は、吸入マフラー１７７の吸入口１７８から吸込まれ、シリンダヘッド１７９の内部に設けられたバルブ（図示せず）を介して圧縮室１７６内にて吸入、圧縮された後、ブロック１５９に形成された吐出マフラー１８０から、吐出細管１７１、密閉容器１５２に備えられた高圧配管である吐出チューブ１４０ａを経て、密閉容器１５２外の吐出配管１４０に吐出される。
【００７２】
吐出細管１７１は、内径１．５ｍｍから３．０ｍｍの鋼管であり、Ｌ字やＵ字曲げにより、冷蔵庫の前面１４３に対し略垂直方向に延在した部位１７１ａを多用することで、略垂直方向の吐出細管１７１の剛性が高くなるように形成されている。すなわち、圧縮要素１６３と密閉容器１５２に備えられた高圧配管である吐出配管１４０とを弾性的に接続する吐出細管１７１は、回転扉１１３ａが閉まる際に箱本体１０１に衝突する衝突方向に対して略平行する方向に形成されている部分１７１ａを有することで、回転扉１１３ａが閉まる際に箱本体１０１に衝突する衝突方向に対して略平行する方向の剛性を上げている。この衝突方向に対して略平行する方向に形成されている部分１７１ａとは直線からなる平行のみでなく、曲線や湾曲部を有するものであってももちろん良い。また、この吐出細管１７１と密閉容器１５２の吐出チューブ１４０ａは、接続部１８１にて弾性をもって接合されている。
【００７３】
密閉容器１５２の下方には、複数個の脚１５５が固着されており、各々の脚１５５に係止された弾性部材１５６を介して、冷蔵庫の凹部１２０に固設されたピン１２７に、弾性部材１５６の孔１５７を遊嵌させることで位置を固定している。尚、冷蔵庫の前面１４３に対し平行方向の脚１５５間ピッチＷｍは、同じく平行方向の密閉容器１５２の径Ｗｃよりも長くなるように形成してなる。
【００７４】
次に、回転扉１１３ａ、１１３ｂを閉めたときの箱本体１０１との衝突時の衝撃力と、その圧縮機１５０への影響について説明する。
【００７５】
尚、円弧１３２ａは回転扉１１３ａにおけるヒンジ１１２側とは反対側の最端部の開閉軌跡、円弧１３２ｂは回転扉１１３ｂにおけるヒンジ１１２側とは反対側の最端部の開閉軌跡である。
【００７６】
一般的に、回転体の勢いを表す量として角運動量がある。角運動量は質量、周方向速度、回転半径のそれぞれに比例する。つまり、回転扉１１３ａ、１１３ｂを閉めたときに、回転扉１１３ａ、１１３ｂに与えられた角運動量が大きいほど、回転扉１１３ａ、１１３ｂと回転扉１１３ａ、１１３ｂを受ける側、すなわち箱本体１０１のシール面１１７の衝突時に発生する衝撃力は大きくなる。また、衝撃力は、冷蔵庫の前面１４３に対し垂直方向に影響を及ぼしていく。
【００７７】
回転扉１１３ｂを例に挙げて説明すると、総体的な角運動量に影響を及ぼす因子は、回転扉１１３ｂと扉ポケット１１４に収納された食品などを合せた質量と、シール面１１７との衝突直前における回転扉１１３ｂの周方向速度と、回転扉１１３ｂの横幅、すなわち回転扉１１３ｂの開閉軌跡の円弧１３２ａ半径である。これらが、ガスケット１１６とシール面１１７との衝突時に、冷蔵庫の箱本体１０１に加えられる総体的な衝撃力を支配する。
【００７８】
また、回転扉１１３ｂに与えられる角運動量の分布の観点から、回転扉１１３ｂの回転支点であるヒンジ１１２から離れたポイントほど周方向速度は大きくなり、角運動量が大きくなる。食品などを偏り無く扉ポケット１１４に収納した状態であれば、通常では、回転扉１１３ｂにおけるヒンジ１１２とは反対側の最端部にて角運動量が最大となる分布を呈する。
【００７９】
回転扉１１３ｂを閉めると、ガスケット１１６に内蔵された永久磁石と、磁性体で形成されたシール面１１７の間に磁力が作用し、ガスケット１１６がシール面１１７と密着する。この時、ガスケット１１６に内蔵された空気ポケットが、衝撃力をある程度吸収するものの、吸収し切れない衝撃力がシール面１１７を通じて冷蔵庫の箱本体１０１に伝わる。
【００８０】
昨今では、主力となる冷蔵庫の容量帯は３００Ｌ以上が基調である。これにより、冷蔵庫サイズが大きくなるに伴って、回転扉１３の開閉軌跡である円弧３２半径は大きくなり、加えて、扉ポケット１４への収納量の増加により、収納品などを合せた回転扉１３の総重量は必然的に重くなり、回転扉１３が閉まる際に箱本体１に加えられる衝撃力は相乗的に大きくなると推察される。
【００８１】
以下、図６に基づいて圧縮機の釜当りのメカニズムを説明する。
【００８２】
密閉容器１５２の側面に形成された吐出チューブ１４０ａ、及び吸入チューブ１４１ａは、冷蔵庫サイドに形成された吐出配管１４０、吸入配管１４１と各々溶接されており、また、密閉容器１５２の下方に固着された脚１５５は、ピン１２７を介して凹部１２０の設置面１２０ａに固定されていることから、圧縮機１５０の外殻を構成する密閉容器１５２は、冷蔵庫に拘束されているような状態であると言える。そのため、回転扉１１３ｂを閉めたときの前面１４３からの衝撃（図中、矢印Ａ）により、冷蔵庫が前後方向（図中矢印Ｂ１方向、Ｂ２方向）に揺動すると、密閉容器１５２は冷蔵庫に引っ張られる形で同様に前後方向に揺動することになる。
【００８３】
一方、衝撃を加えられた瞬間の圧縮機１５０の内部では、圧縮要素１６３と電動要素１５８からなる機械部であるメカ１７４には、弾性支持（図４参照）により見掛け上Ｂ２方向に慣性力が作用するのに加え、密閉容器１５２の振動に伴って、密閉容器１５２底部に固設された支持部１６０ａが矢印Ｂ１方向に変位するとともに、密閉容器１５２に固設された吐出チューブ１４０ａに溶接された吐出細管１７１を介してメカ１７４を矢印Ｂ１方向に引っ張る力が作用して、スプリング１７０にねじれが生じる。この後、スプリング１７０、及び吐出細管１７１の弾性による復元力によって、メカ１７４は、吐出細管１７１と密閉容器１５２の吐出チューブ１４０ａを接合した接続部１８１を中心とした円弧状の矢印Ｃ１、Ｃ２方向に振れ回ることになる。
【００８４】
よって、本実施の形態においては、圧縮機１５０の左右方向の中心軸１５０ａに対して吐出細管１７１が配置されている側と対向する側の圧縮要素の端部１５０ｂを、回転扉２１３ｂを左右に分割する分割線１３０の前方からの投影線上を避けて配置したものである 。
【００８５】
これによって、回転扉２１３ｂの開閉軌跡半径を小さくして回転扉２１３ｂの角運動量を総体的に小さくするとともに、回転扉２１３ｂの角運動量の内、最も大きい分割線１３０の前方からの投影線上から、少なくとも圧縮機１５０の中で圧縮要素１６３と電動要素１５８からなる機械部と密閉容器１５２との接続部１８１から離れている為に大きく振動しやすい部分を離すことで、圧縮機１５０の釜当りを抑制し、静音化が図れ、信頼性の高い冷蔵庫を提供することができる。
【００８６】
このような密閉容器１５２の揺動とメカ１７４の振れ回りによって、メカ１７４と密閉容器１５２の内壁が接触し、いわゆる釜当りが発生していたと考えられる。
【００８７】
しかしながら、本実施の形態では、冷蔵室１０７の扉１０５の中ほどから４：６の比率に分割する分割線１３０にて左右両側に開くように、回転扉１１３ａ、１１３ｂが２枚設けているとともに、分割線１３０の前方からの投影線１３１上を避けて圧縮機１５０を配置している。
【００８８】
これにより、回転扉１１３ａ、１１３ｂの開閉軌跡の円弧１３２ａ、並びに円弧１３２ｂ半径は従来に比べて小さくなるとともに、回転扉１１３ａ、１１３ｂを２枚として、回転扉への収納品を分散することで、回転扉１枚当りの重量と収納される食品などの重量を合せた総重量を見掛け上軽くして、個々の回転扉１１３ａ、１１３ｂに与えられる総体的な角運動量を小さくし、冷蔵庫の箱本体１０１側に加えられる衝撃力を効果的に減少させている。
【００８９】
加えて、回転扉１１３ｂの角運動量の内、最も大きい角運動量が付与される位置を避けて圧縮機１５０を配置することで、回転扉１１３ａ、１１３ｂを閉めたときの衝撃が圧縮機に伝わり難い構成としている。
【００９０】
発明者らの４００Ｌの冷蔵庫を用いた実機試験（回転扉の扉ポケットに数〜１０ｋｇ程度の錘を入れ、回転扉の開閉速度は１分間に６〜１２回、開閉回数を数万〜２０万回として、圧縮機１５０が釜当りする回数頻度を評価する試験）によれば、回転扉１１３ｂの角運動量の内、最も大きい角運動量が付与される位置に圧縮機が配設された冷蔵庫に比べて、釜当りの回数頻度が５０％程度減少することを確認している。
【００９１】
以上のことから、回転扉１１３ａ、１１３ｂを閉めたときの衝撃による圧縮機１５０の釜当りを抑制することができるとともに、釜当りによって、生成したチッピング片を噛み込むことで生じる異常摩耗や、吐出細管１７１の疲労破断を回避することができる。よって、静音化が図れ、信頼性の高い冷蔵庫を提供することができる。
【００９２】
また、本実施の形態では、冷蔵庫を正面から見て、左側の回転扉１１３ａの横幅と右側の回転扉１１３ｂの横幅との比率はおよそ４：６としているが、分割線１３０の前方からの投影線１３１上を避けた圧縮機１５０の配置であるならば、左右の回転扉の幅比率を変更しても同様の効果が得られる。
【００９３】
尚、本実施の形態では、冷蔵室１０７の下方に、引出室１０８を開閉するための引出扉１１５ａから１１５ｄを設置している。
【００９４】
引出室１０８を押し込んだ際にも、当然冷蔵庫の箱本体１０１に衝撃が伝わるが、圧縮機１５０は引出室１０８から離れた配置とすることで、引出室１０８を押込んだ際の衝撃力が圧縮機１５０に伝わり難い構成であり、圧縮機１５０の釜当りを回避することができる。
【００９５】
更に、本実施の形態によれば、ピストン１６５の往復運動方向が冷蔵庫の前面１４３に対し略平行となるように、圧縮機１５０を凹部１２０に設置している。
【００９６】
ここで、圧縮機１５０は、運転中では自らが振動発生源となる。一般的にレシプロ式のメカ１７４から発生する振動としては、クランクシャフト１６８の回転運動やピストン１６５の往復運動時の摩擦摺動に起因するものなどが挙げられるが、その中でもピストン１６５の往復運動による影響が大きく、そのため、ピストン１６５の往復運動（図６中、矢印Ｐ）と平行方向の圧縮機１５０の振動が比較的高くなる。
【００９７】
これを踏まえ、本実施の形態では、回転扉を閉じたときの衝撃力が伝達される方向（図６中、矢印Ａ方向）と、ピストン１６５の往復運動方向（図６中、矢印Ｐ方向）が略垂直関係とすることにより、圧縮機１５０を外部から振動させる方向と内部から振動する方向を一致させないことで、圧縮機１５０の振幅が倍加されて釜当りが頻発することが回避できる。
【００９８】
また、本実施の形態によれば、吐出細管１７１は、冷蔵庫の前面１４３に対し垂直となる方向に延在した部位１７１ａを多用することで、略垂直方向の剛性が高くなるように形成されている。
【００９９】
これにより、剛性の高い吐出細管１７１の部位１７１ａが、回転扉１１３ａ、１１３ｂを閉じたときの衝撃力が伝達される方向（矢印Ａ方向）と略平行関係となることから、矢印Ａ方向の弾性変形をし難くすることで、衝撃を加えられた際のメカ１７４の振れ回り（矢印Ｃ１、Ｃ２方向）を抑制することができる。更に、剛性の高い部位１７１ａを確保するために、吐出細管１７１を蛇行させる空間体積が乏しい場合は、部位１７１ａの細管肉厚を比較的厚くすることで剛性を上げても同様の効果が得られる。
【０１００】
一方で、ピストン１６５の往復運動方向（矢印Ｐ方向）や圧縮機１５０の高さ方向に平行な吐出細管１７１の部位の剛性は比較的低いことにより、メカ１７４の振動が冷蔵庫へ伝達されるのを抑制することもできる。
【０１０１】
尚、本実施の形態によれば、図６に示すように、回転扉１１３ａが閉まる際に箱本体１０１に衝突する衝突方向Ａに対し略平行方向に隣接する脚１５５ａ、１５５ｂ同士の間のピッチＷｍが、衝突方向Ａに対して略平行する方向に隣接する支持部１５２ａ，１５２ｂ同士の間のピッチＷｃよりも長く形成されたものである。
【０１０２】
これにより、脚１５５ａ、１５５ｂ同士の間のピッチＷｍを広くして、回転扉１１３ａが閉まる際に箱本体１０１に衝突する衝突方向Ａに対して略平行する方向に外部から受けた振動の振幅が密閉容器の脚部１５５ａ，１５５ｂよりも密閉容器１５２内の支持部１５２ａ、１５２ｂのほうが小さくなるので、圧縮機１５０の釜当りを抑制するので、機械部であるメカの振れ回りを抑制することで、静音化が図れ、信頼性の高い冷蔵庫を提供することができる。
【０１０３】
（実施の形態２）
図７は本発明の実施の形態２における冷蔵庫の構成断面図、図８は同実施の形態における冷蔵庫の正面図、図９は同実施の形態における冷蔵庫を上方から見た回転扉の開閉軌跡の概略断面図、図１０は同実施の形態における冷蔵庫を横方向から見た回転扉の開閉軌跡の概略断面図である。
【０１０４】
以下、図７、図８、図９、図１０に基づいて本実施の形態の説明を進めるが、実施の形態１と同一構成については、同一符号を付して詳細な説明を省略する。
【０１０５】
図７から図１０において、冷蔵庫は、圧縮機１５０と、圧縮機１５０に接続された吐出配管１４０と、凝縮器（図示せず）と、減圧器であるキャピラリー１４２と、水分除去を行うドライヤー（図示せず）と、庫内ファン１９１を近傍に配置した蒸発器１２８と、吸入配管１４１を環状に接続して構成される冷凍サイクルを箱本体２０１に内蔵しており、この冷凍サイクルにより生成された冷気を吐出し、貯蔵庫２０６内の温度を低下させ、食品などを冷凍、冷蔵保管する。
【０１０６】
箱本体２０１は、内箱２０２と外箱２０３とで構成された空間に発泡充填する断熱体１０４を注入してなる断熱壁を備えている。
【０１０７】
箱本体２０１は複数の断熱区画に区分されており、箱本体２０１の前面には、各々、扉２０５を設けている。断熱区画された貯蔵室２０６は、上から冷蔵室２０７、並べて設けた切替室１０９ａおよび製氷室１０９ｂ、野菜室１１０、冷凍室１１１となっている。
【０１０８】
冷蔵室２０７には、前面の中ほどから分割され左右両側を支点として、両端部がヒンジ１１２を介して回転可能に支持された回転動式の回転扉２１３ａ、２１３ｂが２枚設けられている。正面から見て、左側の回転扉２１３ａの横幅と右側の回転扉２１３ｂの横幅との比率はおよそ４：６としている。また、各々回転扉２１３ａ、２１３ｂには、食品などを収納するスペースとして扉ポケット１１４が複数個設けられている。
【０１０９】
一方、切替室１０９ａ、製氷室１０９ｂ、野菜室１１０、及び冷凍室１１１はいずれも引出室１０８として形成されており、いずれも、レール（図示せず）を介して前方、後方にスライド可能な往復動式である引出扉１１５ａ、１１５ｂ、１１５ｃ、１１５ｄが設けられている。
【０１１０】
回転扉２１３ａ、２１３ｂ、及び引出扉１１５ａ、１１５ｂ、１１５ｃ、１１５ｄの内側の縁には、箱本体１０１のシール面１１７と密着することで冷蔵庫内部と外部を遮断させるとともに、各々の扉２０５を閉めたときの衝撃を吸収するためのガスケット１１６が装着されている。
【０１１１】
箱本体２０１の上方には、箱本体２０１の天面２１８と背面２１９に渡って冷蔵室２０７側に凹ませた凹部２２０が設けられている。冷蔵室２０７には食品などを収納するための収納棚２２１が複数個設けられており、凹部２２０は、冷蔵室２０７内の最上段棚２２２と内箱２０２で区画された最上段収納スペース２２２ａ側、及び第２段棚２２３と最上段棚２２２で区画された第２段棚収納スペース２２３ａ側に凸状に出張っている。
【０１１２】
凹部２２０には、ビスなどで固定された天面カバー２２６が設けられており、圧縮機１５０、機械室ファン１９０、凝縮器（図示せず）、ドライヤー（図示せず）、吐出配管１４０、吸入配管１４１の一部などを収納している。尚、圧縮機１５０は、回転扉２１３ｂの前方からの投影面２３３内に、より好ましくは投影面２３３の外枠線２３４に圧縮機１５０の一部が掛からないように完全に投影面２３３内に配置される。また、天面カバー２２６の上部は、天面２１８と略同一平面としている。
【０１１３】
本実施の形態により、回転扉２１３ａ、２１３ｂの開閉軌跡の円弧２３２ａ、並びに円弧２３２ｂ半径は従来の１枚扉式に比べて小さくなる。更に、回転扉２１３ａ、２１３ｂを２枚として、回転扉への収納品を分散することで、回転扉１枚当りの重量に収納される食品などの重量を合せた総重量を見掛け上軽くなる。よって、個々の回転扉２１３ａ、２１３ｂに与えられる総体的な角運動量を小さくし、冷蔵庫の箱本体２０１側に加えられる衝撃力を効果的に減少させることができる。
【０１１４】
加えて、本実施の形態では、回転扉２１３ｂの前方からの投影面２３３内に、より具体的には投影面２３３の外枠線２３４を避けて圧縮機１５０を配置したことで、回転扉２１３ｂの角運動量の内、最も大きい角運動量が付与される投影面２３３の投影線２３４ａ上に加え、直接的に衝撃力が伝播すると思われる天面２１８側の投影面２３３の投影線２３４ｃからも離れており、衝撃力が圧縮機１５０に伝わり難い構成としている。
【０１１５】
発明者らの４００Ｌの冷蔵庫を用いた実機試験（回転扉の扉ポケットに数〜１０ｋｇ程度の錘を入れ、回転扉の開閉速度は１分間に６〜１２回、開閉回数を数万〜２０万回として、圧縮機が釜当りする回数頻度を評価する試験）によれば、回転扉２１３ｂの角運動量の内、最も大きい角運動量が付与される位置に圧縮機１５０が配設された冷蔵庫に比べて、釜当りの回数頻度が６０％程度減少することを確認している。
【０１１６】
以上のことから、回転扉２１３ａ、２１３ｂを閉めたときの衝撃による圧縮機１５０の釜当りを抑制することができるとともに、釜当りによって生成されるチッピング片の噛み込みによる異常摩耗や、配管の疲労破断による圧縮不良を回避することができる。よって、静音化が図れ、信頼性の高い冷蔵庫を提供することができる。
【０１１７】
また、本実施の形態では、冷蔵庫を正面から見て、左側の回転扉２１３ａの横幅と右側の回転扉２１３ｂの横幅との比率はおよそ４：６としているが、回転扉１１３ｂ投影面２３３内に圧縮機１５０を配置するのであれば、左右の回転扉の幅比率を変更しても同様の効果が得られる。
【０１１８】
（実施の形態３）
図１１は本発明の実施の形態３における冷蔵庫の構成断面図、図１２は同実施の形態における冷蔵庫の正面図、図１３は同実施の形態における冷蔵庫を上方から見た回転扉の開閉軌跡の概略断面図、図１４は同実施の形態における冷蔵庫を横方向から見た回転扉の開閉軌跡の概略断面図である。
【０１１９】
以下、図１１、図１２、図１３、図１４に基づいて本実施の形態の説明を進めるが、実施の形態１と同一構成については、同一符号を付して詳細な説明を省略する。
【０１２０】
図１１から図１４において、冷蔵庫は、圧縮機１５０と、圧縮機１５０に接続された吐出配管１４０と、凝縮器（図示せず）と、減圧器であるキャピラリー１４２と、水分除去を行うドライヤー（図示せず）と、庫内ファン１９１を近傍に配置した蒸発器１２８と、吸入配管１４１を環状に接続して構成される冷凍サイクルを箱本体３０１に内蔵しており、この冷凍サイクルにより生成された冷気を吐出し、貯蔵庫３０６内の温度を低下させ、食品などを冷凍、冷蔵保管する。
【０１２１】
箱本体３０１は、内箱３０２と外箱３０３とで構成された空間に発泡充填する断熱体１０４を注入してなる断熱壁を備えている。
【０１２２】
箱本体３０１は複数の断熱区画に区分されており、箱本体３０１の前面には、各々、扉３０５を設けている。断熱区画された貯蔵室３０６は、上から冷蔵室３０７、並べて設けた切替室１０９ａおよび製氷室１０９ｂ、野菜室１１０、冷凍室１１１となっている。冷蔵室３０７には、前面の中ほどから分割され、かつ冷蔵庫の正面から見て右側の扉３０５は上下に分割され、左右両側を支点として開くように、両端部がヒンジ１１２を介して回転可能に支持された回転動式の回転扉３１３ａ、３１３ｂ、３１３ｃが３枚設けられている。冷蔵庫を正面から見て、左側の回転扉３１３ａの横幅と右側の回転扉３１３ｂの横幅との比率はおよそ４：６とし、右側上方の回転扉３１３ｂの高さと右側下方の回転扉３１３ｃの高さとの比率はおよそ１：２としている。回転扉３１３ａ、３１３ｂ、３１３ｃには、食品などを収納するスペースとして扉ポケット１１４が複数個設けられている。
【０１２３】
一方、切替室１０９ａ、製氷室１０９ｂ、野菜室１１０、及び冷凍室１１１はいずれも引出室１０８として形成されており、いずれにも、レール（図示せず）を介して前方、後方にスライド可能な往復動式である引出扉１１５ａ、１１５ｂ、１１５ｃ、１１５ｄが設けられている。
【０１２４】
回転扉３１３ａ、３１３ｂ、３１３ｃ及び引出扉１１５ａ、１１５ｂ、１１５ｃ、１１５ｄの内側の縁には、箱本体３０１のシール面１１７と密着することで冷蔵庫内部と外部を遮断させるとともに、各々の扉３０５を閉めたときの衝撃を吸収するためのガスケット１１６が装着固定されている。
【０１２５】
箱本体３０１の上方には、箱本体３０１の天面３１８と背面３１９に渡って冷蔵室３０７側に凹ませた凹部３２０が設けられている。冷蔵室３０７には食品などを収納する為の収納棚３２１が複数個設けられており、凹部３２０は、冷蔵室３０７内の最上段棚３２２と内箱３０２で区画された最上段収納スペース３２２ａ及び第２段棚３２３と最上段棚３２２で区画された第２段棚収納スペース３２３ａ側に凸状に出張っている。
【０１２６】
凹部３２０には、ビスなどで固定された天面カバー３２６が設けられており、圧縮機１５０、機械室ファン１９０、凝縮器（図示せず）、ドライヤー（図示せず）、吐出配管１４０、吸入配管１４１の一部などを収納している。尚、圧縮機１５０は、回転扉３１３ｂの前方からの投影面３３３内に、より具体的には投影面３３３の外枠線３３４に圧縮機１５０の一部が掛からないように完全に投影面３３３内に配置される。また、天面カバー３２６の上部は、天面３１８と略同一平面としており、圧縮機１５０の頂部１５１は天面３１８より低い位置にある。
【０１２７】
本実施の形態により、回転扉３１３ａ、３１３ｂ、３１３ｃの開閉軌跡の円弧３３２ａ半径、円弧３３２ｂ半径並びに円弧３３２ｃ半径は従来の１枚扉式に比べて小さくなる。更に、正面から見て右側の扉３０５を上下に分割して細分化して回転扉の枚数を３枚として、回転扉への収納品を分散することで、回転扉１枚当りの重量に収納される食品などの重量を合せた総重量を見掛け上軽くなる。よって、個々の回転扉３１３ａ、３１３ｂ、３１３ｃに与えられる総体的な角運動量を小さくし、冷蔵庫の箱本体３０１側に加えられる衝撃力を効果的に減少させることができる。
【０１２８】
加えて、本実施の形態では、回転扉３１３ｂの前方からの投影面３３３内に、より具体的には投影面３３３の外枠線３３４を避けて圧縮機１５０を配置したことで、回転扉３１３ｂの角運動量の内、最も大きい角運動量が付与される投影面３３３の投影線３３４ａ上に加え、直接的に衝撃力が伝播すると思われる天面３１８側の投影面３３３の投影線３３４ｃから離れており、衝撃力が圧縮機１５０に伝わり難い構成としている。
【０１２９】
発明者らの４００Ｌの冷蔵庫を用いた実機試験（回転扉の扉ポケットに数〜１０ｋｇ程度の錘を入れ、回転扉の開閉速度は１分間に６〜１２回、開閉回数を数万〜２０万回として、圧縮機が釜当りする回数頻度を評価する試験）によれば、回転扉３１３ｂの角運動量の内、最も大きい角運動量が付与される位置に圧縮機１５０が配設された冷蔵庫に比べて、釜当りの回数頻度が７０％程度減少することを確認している。
【０１３０】
以上のことから、回転扉３１３ａ、３１３ｂ、及び３１３ｃを閉めたときの衝撃による圧縮機１５０の釜当りを抑制することができるとともに、釜当りによって生成されるチッピング片の噛み込みによる異常摩耗や、配管の疲労破断による圧縮不良を回避することができる。よって、静音化が図れ、信頼性の高い冷蔵庫を提供することができる。
【０１３１】
また、冷蔵庫の回転扉３１３ｂの投影面３３３内に圧縮機１５０を配置するのであれば、扉の高さや幅の比率を変更しても同様の効果が得られる。
【０１３２】
尚、回転扉を細分化することで、特に暑い夏場において、細分化された回転扉の内、必要な回転扉のみを開けて食品等を出し入れすることで、庫外に逃げ出す冷気を顕著に減らし、圧縮機の運転率の抑制が図れ、消費電力量が低い冷蔵庫を提供することができる。
【０１３３】
（実施の形態４）
図１５は本発明の実施の形態４における冷蔵庫の縦断面図、図１６は同実施の形態における冷蔵庫の冷蔵室ドアが閉まる際の平面断面図、図１７は同実施の形態における冷蔵庫の冷蔵室ドアが閉まる際の平面断面図である。
【０１３４】
図において、冷蔵庫４２０の箱本体である断熱箱体４２１は内箱４２２と外箱４２３との間に発泡断熱材４２４を充填したものであり、前面開口部４２１ａを有し、仕切壁４２５，４２６，４２７により、上部より貯蔵室である冷蔵室４２８、切替室４２９、野菜室４３０、冷凍室４３１を形成している。
【０１３５】
また、箱本体４２１の天面後方部に圧縮機４５０を配設している。
【０１３６】
また、各貯蔵室には閉時に前面開口部４２１ａを閉塞し箱本体である断熱箱体４２１と連結された扉である冷蔵室ドア４３２、切替室ドア４３３、野菜室ドア４３４、冷凍室ドア４３５を備える。
【０１３７】
冷蔵室ドア４３２は断熱箱体４２１に枢支された回転扉であり、上部ヒンジ４３６と、仕切壁４２５に固着された下部ヒンジ４３７とにより断熱箱体４２１に回動自在に連結されており、残りの切替室ドア４３３と野菜室ドア４３４と冷凍室ドア４３５とは各貯蔵室内の断熱箱体４２１の両側部に固着されたレール部材４２１ｂにより断熱箱体４２１と前後に開閉可能であるように連結される。
【０１３８】
冷蔵室ドア４３２の下部の下部ヒンジ４３７には自閉機能部４３７ａと減速機能部４３７ｂとが備えられている。
【０１３９】
また、冷蔵室ドア４３２の減速機能が動作を開始する第１の位置Ａは冷蔵室ドア４３２の閉扉時に断熱箱体４２１の前面開口部４２１ａと冷蔵室ドア４３２の回転軸と反対側の土手部４３２ｄとの間に約１００ｍｍから１５０ｍｍの空間を有している。
【０１４０】
また、冷蔵室ドア４３２の減速機能が解除される第２の位置Ｂは同じく冷蔵室ドア４３２の閉扉時に断熱箱体４２１の前面開口部４２１ａと冷蔵室ドア４３２の回転軸と反対側の土手部４３２ｄとの間に約１ｍｍから５ｍｍの空間を有する様に設定されている。
【０１４１】
以上のように構成された冷蔵庫について、以下その動作、作用を説明する。
【０１４２】
まず、冷蔵室ドア４３２を全開し、手動にて閉扉していき冷蔵室ドア４３２が前面開口部４２１ａと冷蔵室ドア４３２の回転軸と反対側の土手部４３２ｄとの間に約１５０ｍｍから２５０ｍｍの空間を有する位置に到達すると冷蔵室ドア４３２は自閉を開始し、更に閉扉して前面開口部４２１ａと冷蔵室ドア４３２の回転軸と反対側の土手部４３２ｄとの間に約１００ｍｍから１５０ｍｍの空間を有する第１の位置Ａに冷蔵室ドア４３２が到達すると、減速機能部４３７ｂが作動することで冷蔵室ドア４３２の閉扉速度は減速し始める。
【０１４３】
更に冷蔵室ドアが閉扉していくにつれ冷蔵室ドア４３２の閉扉速度は徐々に減速し、前面開口部４２１ａと冷蔵室ドア４３２の回転軸と反対側の土手部４３２ｄとの間に約１ｍｍから５ｍｍの空間を有する第２の位置Ｂに到達すると冷蔵室ドア４３２は減速機能を解除され確実に閉扉する。
【０１４４】
また、冷蔵室ドア４３２の減速機能が動作を開始するする第１の位置を冷蔵室ドア４３２の閉扉時に断熱箱体４２１の前面開口部４２１ａと冷蔵室ドア４３２の回転軸と反対側の土手部４３２ｄとの間に約１００ｍｍから１５０ｍｍの空間を有するとしたが、減速機能が動作する範囲が広いと冷蔵室ドア４３２の閉扉動作に時間がかかることになり、結果としてせっかく冷却された冷蔵室４２８内の冷気が逃げてしまうので消費電力量が増加したり冷蔵室４２８内の被収納物の劣化の要因となってしまう為、減速機能が動作する範囲は冷蔵庫ドア４３２の断熱箱体４２１への衝突速度が十分に減速される範囲で狭い方が良い。
【０１４５】
しかしながら、冷蔵室ドア４３２の閉扉時に断熱箱体４２１の前面開口部４２１ａと冷蔵室ドア４３２の回転軸と反対側の土手部４３２ｄとの空間を狭くしたり、もしくは回転軸と反対側の土手部４３２ｄが前面開口部４２１ａより更に冷蔵室４２８内に入り込んだ位置より減速機能が動作を開始すると前面開口部４２１ａと回転軸と反対側の土手部４３２ｄとの間に使用者の指や腕を挟んでしまう恐れが生じる。
【０１４６】
したがって、本実施の形態では断熱箱体４２１の前面開口部４２１ａと冷蔵室ドア４３２の回転軸と反対側の土手部４３２ｄとの空間に使用者の指や腕を挟んでしまうことが無い様、約１００ｍｍから１５０ｍｍの空間を有するとした。
【０１４７】
尚、本実施の形態では冷蔵室ドア４３２に土手部４３２ｄを設けたが、土手部４３２ｄが無い場合には冷蔵室ドア４３２の断熱箱体４２１側の面と前面開口部４２１ａとの空間を各所定値範囲とすれば良い。
【０１４８】
また、棚４４３の断熱箱体４２１側の面は土手部４３２ｄの先端とほぼ同一面としたが、棚４４３の断熱箱体４２１側の面が土手部４３２ｄの先端より断熱箱体４２１側に突出する場合は冷蔵室ドア４３２の回転軸と反対側の土手部４３２ｄの先端と棚４４３の断熱箱体４２１側の面との内、前面開口部４２１ａとの距離が狭い方の空間を各所定値範囲とすれば良い。
【０１４９】
また、冷蔵庫４２０の冷蔵室ドア４２０が左右に分割された観音開きドアの場合は開状態にある側の冷蔵室ドア４３２の回転軸と反対側の土手部４３２ｄの先端と棚４４３の断熱箱体４２１側の面との内、閉位置にある側の冷蔵室ドア４３２の断熱箱体４２１と反対側の外観面との距離が狭い方の空間を各所定値範囲とすれば良い。
【０１５０】
以上のように本実施の形態においては冷蔵庫４２０が冷蔵室ドア４３２に動作する減速機能を有することにより、冷蔵室ドア４２０を閉めたときに断熱箱体４２１を通じて圧縮機４５０に伝わる衝撃力を減少させることで、圧縮機４５０の釜当りを抑制し、静音化が図れ、信頼性の高い冷蔵庫を提供することができる。
【０１５１】
（実施の形態５）
図１８は本発明の実施の形態５における冷蔵庫要部の平面断面図であり、図１９は同実施の形態における冷蔵庫に搭載した圧縮機の縦断面図である。
【０１５２】
冷蔵庫は、箱本体５０１の天面後方に備えられた機械室５１０と、機械室５１０に備えられた圧縮機５５０と機械室ファン５２０と、圧縮機５５０に接続された高圧配管５４０と、圧縮機５５０と、凝縮器（図示せず）と、減圧器（図示せず）と、蒸発器（図示せず）とを順に備えた冷凍サイクルを箱本体５０１とを備えている。
【０１５３】
また、最上段の貯蔵室５０７にはヒンジ部５１２を介して回動自在に回転扉５１３が備えられており、回転扉５１３は箱本体５０１の左右方向のほぼ全幅に渡って一枚の回転扉５１３で形成されている。
【０１５４】
また、回転扉５１３は、ヒンジ部５１２を支点として開閉し、ヒンジ部５１２が備えられている側と反対側の端部５１３ａの軌跡５３２ｂが回転扉５１３の開閉軌道半径が最も大きくなっている。
【０１５５】
また、圧縮機５５０は箱本体５０１の左右方向の全幅Ｇの１／２に相当する部分Ｈよりもヒンジ部５１２側に備えられている。
【０１５６】
この圧縮機５５０は、密閉容器５５１の内部に圧縮室５５２と圧縮室５５２内をピストン（図示せず）が往復動することで冷媒の圧縮を行う往復動型圧縮機であり、圧縮室５５２をそなえた圧縮要素５５３と密閉容器５５１に備えられた高圧配管５４０とを接続する吐出細管５５４を備えている。高圧配管５４０と吐出細管５５４とは接続部５５５を介して接続されている。
【０１５７】
このように圧縮室５５２は回転扉５１３のヒンジ部５１２側の投影線に近い側に位置するように圧縮機５５０を配設しており、また、圧縮機の左右方向の中心軸Ｉに対して、高圧配管５４０と吐出細管５５４とを接続する接続部５５５と対向する側に位置する圧縮要素５５３の端部５５３ａも同様に回転扉５１３のヒンジ部５１２側の投影線に近い側に位置するように圧縮機５５０を配設している。
【０１５８】
以上のような構成の冷蔵庫において、以下に回転扉５１３の開閉時の動作と作用を説明する。
【０１５９】
回転扉５１３において、総体的な角運動量に影響を及ぼす因子は、回転扉５１３と扉ポケット（図示せず）に収納された食品などを合せた質量と、シール面５１７との衝突直前における回転扉５１３の周方向速度と、回転扉５１３の横幅、すなわち回転扉５１３の開閉軌跡の半径５３２ｂである。これらが、ガスケット５１６とシール面５１７との衝突時に、冷蔵庫の箱本体５０１に加えられる総体的な衝撃力を支配する。
【０１６０】
また、回転扉５１３に与えられる角運動量の分布の観点から、回転扉５１３の回転支点であるヒンジ５１２から離れたポイントほど周方向速度は大きくなり、角運動量が大きくなる。食品などを偏り無く扉ポケットに収納した状態であれば、通常では、回転扉５１３におけるヒンジ５１２とは反対側の最端部にて角運動量が最大となる分布を呈する。
【０１６１】
回転扉５１３を閉めると、ガスケット５１６に内蔵された永久磁石と、磁性体で形成されたシール面５１７の間に磁力が作用し、ガスケット５１６がシール面５１７と密着する。
【０１６２】
この時、ガスケット５１６に内蔵された空気ポケットが、衝撃力をある程度吸収するものの、吸収し切れない衝撃力がシール面５１７を通じて冷蔵庫の箱本体５０１に伝わる。
【０１６３】
昨今では、主力となる冷蔵庫の容量帯は３００Ｌ以上が基調である。これにより、冷蔵庫サイズが大きくなるに伴って、回転扉５１３の開閉軌跡の半径の円弧５３２ｂは大きくなり、加えて、扉ポケットへの収納量の増加により、収納品などを合せた回転扉５１３の総重量は必然的に重くなり、回転扉５１３が閉まる際に箱本体５０１に加えられる衝撃力は相乗的に大きくなると推察される。
【０１６４】
しかしながら、本実施の形態では、圧縮機５５０は箱本体５０１の左右方向の全幅Ｇの１／２に相当する部分Ｈよりもヒンジ部５１２側に備えられていることにより、回転扉５１３を閉めた際に、冷蔵庫の箱本体５０１に加えられる衝撃力の最も大きい回転扉５１３のヒンジ部５１２が備えられている側と反対側の端部５１３ａの前面側からの投影線上から大きく離していることにより、幅方向に長い寸法を有する為に、支点から反支点側の端部までの距離が大きいタイプの回転扉においても、角運動量の内、最も大きい分割線の前面からの投影線上からより圧縮機５５０を離すことで、回転扉５１３を閉めたときに冷蔵庫箱本体を通じて圧縮機に伝わる衝撃力を減少させることができ、圧縮機５５０の釜当りを抑制し、静音化が図れ、信頼性の高い冷蔵庫を提供することができる。
【０１６５】
尚、回転扉５１３を閉じた時の衝撃力の幅方向の変化は、本実施の形態のように一枚扉の場合は、ヒンジ部５１２と反対側である、一般的にはハンドル側の端部が回転半径が大きいために最も大きく、ヒンジ部５１２に近付くにつれて小さくなるが、出し入れの便宜を図るために回転扉５１３の扉ポケットのハンドル側に例えばＰＥＴボトル飲料どの重量物を収納するように設計している場合が多く、実際の使用状態における衝撃力の分布は、ヒンジ部５１２側に近付くにつれての衝撃力の減少度合いが顕著となる。
【０１６６】
このため、機械室５１０の幅方向のスペースにおいて、圧縮機５５０を配置した左右の空間スペースである反ヒンジ側スペース５１０ａとヒンジ側スペース５１０ｂの幅方向の距離ａ，ｂについて言及すると、反ヒンジ側スペース５１０ａの距離ａ＞ヒンジ側スペース５１０ｂの距離ｂとすることによって、圧縮機５５０（の容器）の幅方向の中心軸Ｉが少なくとも箱本体５０１の左右方向の全幅Ｇの１／２に相当する部分Ｈよりもヒンジ部５１２側に寄ることになり、回転扉５１３を閉じた際の衝撃力は実質上圧縮機５５０に影響を与えない程度のものとすることができる。
【０１６７】
そしてさらに、箱本体５０１の左右方向の全幅Ｇの１／２に相当する部分Ｈを境界線として、圧縮機５５０の全体がこの境界線よりもヒンジ部５１２側に寄れば、その点での衝撃力はさらに低減され圧縮機５５０への影響は回避できるものとすることができる。
【０１６８】
尚、本実施の形態では圧縮機５５０を箱本体５０１の左右方向の全幅Ｇの１／２に相当する部分Ｈよりもヒンジ部５１２側に備えているが、冷蔵庫の機械室５１０内部での構成上、圧縮機５５０が箱本体５０１の左右方向の全幅Ｇの１／２に相当する部分Ｈよりもヒンジ部５１２の反対側へ延出してしまった場合でも、圧縮室５５２を箱本体５０１の左右方向の全幅Ｇの１／２に相当する部分Ｈよりもヒンジ部５１２側に備えることで、少なくとも圧縮機５５０の中で往復運動を行っている為に振動発生源となる圧縮室５５２を衝撃力の最も大きい回転扉５１３のヒンジ部５１２が備えられている側と反対側の端部５１３ａの前面側からの投影線上より離すことで、回転扉５１３を閉めたときに冷蔵庫の箱本体５０１を通じて圧縮機５５０に伝わる衝撃力を減少させることができ、圧縮機５５０の釜当りを抑制し、静音化が図れ、信頼性の高い冷蔵庫を提供することができる。
【０１６９】
尚、同様に、圧縮機５５０が箱本体５０１の左右方向の全幅Ｇの１／２に相当する部分Ｈよりもヒンジ部５１２の反対側へ延出してしまった場合でも、高圧配管５４０と吐出細管５５４とを接続する接続部５５５と対向する側に位置する圧縮要素５５３の端部５５３ａを箱本体５０１の左右方向の全幅Ｇの１／２に相当する部分Ｈよりもヒンジ部５１２側に備えることで、圧縮機５５０の中で圧縮要素５５２と密閉容器５５１との接続部５５５から最も離れている為に大きく振動しやすい部分をより離すことで、圧縮機５５０の釜当りを抑制し、静音化が図れ、信頼性の高い冷蔵庫を提供することができる。
【０１７０】
また、本実施の形態の圧縮機５５０の脚５６０と弾性部材５６１との当接面Ｌは密閉容器５５１の下端面５５１ａよりも上方に位置している為、圧縮機５５０の上下方向の重心Ｋと、圧縮機５５０の脚５６０と脚５６０を弾性支持する弾性部材５６１との当接面Ｌとの距離Ｍを、圧縮機５５０の上下方向の重心Ｋと密閉容器５５１の下端面５５１ａとの距離Ｎよりも短くなっている。
【０１７１】
これによって、圧縮機５５０に外力が作用した場合の振動の振幅は、重心付近が最も小さく重心から離れるにつれて振動が大きくなるような重心まわりに圧縮機５５０全体が振動することから、圧縮機５５０のより重心に近い部分に脚５６０と弾性部材５６１との当接面Ｌを位置させることにより、冷蔵庫側から圧縮機５５０に外力がかかった場合に、圧縮機５５０全体の振動を低減することができるので、さらに、冷蔵庫への振動伝達を低減できることとなり、不快な振動や、振動に起因する騒音発生の無い高品位の冷蔵庫を提供することできる。
【産業上の利用可能性】
【０１７２】
以上のように、本発明にかかる冷蔵庫は、静音化が図れ、かつ信頼性が高いので、家庭用や業務用の冷凍冷蔵庫に適用できる。
【図面の簡単な説明】
【０１７３】
【図１】本発明の実施の形態１における冷蔵庫の構成断面図
【図２】同実施の形態における冷蔵庫の正面図
【図３】同実施の形態における冷蔵庫を上方から見た回転扉の開閉軌跡の概略断面図
【図４】同実施の形態における冷蔵庫背面から見た圧縮機の縦断面図
【図５】同実施の形態における冷蔵庫天面から見た圧縮機の平面断面図
【図６】同実施の形態における回転扉を閉めたときの圧縮機の挙動を示す特性図
【図７】本発明の実施の形態２における冷蔵庫の構成断面図
【図８】同実施の形態における冷蔵庫の正面図
【図９】同実施の形態における冷蔵庫を上方から見た回転扉の開閉軌跡の概略断面図
【図１０】同実施の形態における冷蔵庫を横方向から見た回転扉の開閉軌跡の概略断面図
【図１１】本発明の実施の形態３における冷蔵庫の構成断面図
【図１２】同実施の形態における冷蔵庫の正面図
【図１３】同実施の形態における冷蔵庫を上方から見た回転扉の開閉軌跡の概略断面図
【図１４】同実施の形態における冷蔵庫を横方向から見た回転扉の開閉軌跡の概略断面図
【図１５】本発明の実施の形態４における冷蔵庫の縦断面図
【図１６】同実施の形態における冷蔵庫の冷蔵室ドアが閉まる際の平面断面図
【図１７】同実施の形態における冷蔵庫の冷蔵室ドアが閉まる際の平面断面図
【図１８】本発明の実施の形態５における冷蔵庫要部の平面断面図
【図１９】同実施の形態における冷蔵庫に搭載した圧縮機の縦断面図
【図２０】従来の冷蔵庫の構成断面図
【図２１】従来の冷蔵庫の圧縮機の縦断面図
【符号の説明】
【０１７４】
１０１，２０１，３０１，４０１，５０１  箱本体
１０６，２０６，３０６  貯蔵室
１０８  引出室
１１３ａ，１１３ｂ，２１３ａ，２１３ｂ，３１３ａ，３１３ｂ，３１３ｃ，４４３，５１３  回転扉
１１８，２１８，３１８  天面
１１９，２１９，３１９  背面
１２０，２２０，３２０  凹部
１２２ａ，２２２ａ，３２２ａ  最上段収納スペース
１３０  分割線
１３１  投影線
１５０，４５０，５５０  圧縮機
１５０ａ，Ｉ  圧縮機の左右方向の中心軸
１５２  密閉容器
１５３  冷媒
１５５  脚
１５８  電動要素
１５９  ブロック
１６０  固定子
１６２  回転子
１６３，５５３  圧縮要素
１６５  ピストン
１７１，５５４  吐出細管
１７５  ボア孔
１７６，５５２  圧縮室
２３３，３３３  投影面
４２０  冷蔵庫
４２１  断熱箱体（箱本体）
４２８  冷蔵室（貯蔵室）
４３２  冷蔵室ドア（回転扉）
４３７ｂ  減速機能部
５１０  機械室（凹部）
５１０ａ  機械室の反ヒンジ側スペース（反支点側スペース）
５１０ｂ  機械室のヒンジ側スペース（支点側スペース）
５４０  高圧配管
５５１  密閉容器
５５５  接続部
Ｈ    箱本体の左右方向の全幅の１／２
【要約】
【課題】回転扉を閉じた際の冷蔵庫箱本体との衝突時の衝撃力による圧縮機の釜当りを抑制して、静音化が図れ、かつ信頼性の高い冷蔵庫を提供する。
【解決手段】前面に開閉する回転扉１１３ａ，１１３ｂを備えた貯蔵室１０６が配置された箱本体１０１を有し、箱本体１０１の天面と背面に渡って貯蔵室１０６内の最上段収納スペース１２２ａ側に凹ませた凹部１２０を形成し、圧縮機１５０を凹部１２０に設置したものであって、回転扉１１３ａ，１１３ｂを中ほどから左右両側を支点として開くように分割するとともに、分割線１３０の前方からの投影線上を避けて圧縮機１５０を配置することにより、角運動量の最も大きい分割線１３０の前方からの投影線上から圧縮機１５０を離して、回転扉１１３ａ，１１３ｂを閉めたときに冷蔵庫箱本体を通じて圧縮機１５０に伝わる衝撃力を減少させることで、圧縮機１５０の釜当りを抑制する。
【選択図】図３
【図１】
0003722152.tif 000002
【図２】
0003722152.tif 000003
【図３】
0003722152.tif 000004
【図４】
0003722152.tif 000005
【図５】
0003722152.tif 000006
【図６】
0003722152.tif 000007
【図７】
0003722152.tif 000008
【図８】
0003722152.tif 000009
【図９】
0003722152.tif 000010
【図１０】
0003722152.tif 000011
【図１１】
0003722152.tif 000012
【図１２】
0003722152.tif 000013
【図１３】
0003722152.tif 000014
【図１４】
0003722152.tif 000015
【図１５】
0003722152.tif 000016
【図１６】
0003722152.tif 000017
【図１７】
0003722152.tif 000018
【図１８】
0003722152.tif 000019
【図１９】
0003722152.tif 000020
【図２０】
0003722152.tif 000021
【図２１】
0003722152.tif 000022